(57)【要約】      （修正有）【課題】ボールが打接する位置を正確に維持することができるように練習することが可能で、かつ、簡単な構造を有するゴルフ練習具を提供する。【解決手段】ゴルフ練習具１０は、連結板１１と、１組の突出部１２ａ、１２ｂとを備える。連結板は、パターヘッドに付着される。突出部は、ゴルフ練習具を前記パターヘッドに装着した場合に、パターヘッドのフェース面に対して垂直方向に突出し、ゴルフボールが打接する打接部を挟んで互いに向かい合うようにして連結板の幅方向の両端に設けられる。そして、フェース面の上部及び下部における突出部の間隔が、フェース面の中心部における突出部の間隔よりも狭い。【選択図】図１
0003167944.tif 000002
【実用新案登録請求の範囲】
【請求項１】
パターヘッドに装着されるゴルフ練習具であって、
前記パターヘッドに付着される連結板と、
前記ゴルフ練習具を前記パターヘッドに装着した場合に、前記パターヘッドのフェース面に対して垂直方向に突出し、ゴルフボールが打接する打接部を挟んで互いに向かい合うようにして前記連結板の幅方向の両端部に設けられた１組の突出部とを備え、
前記フェース面の上部及び下部における前記突出部の間隔が、前記フェース面の中心部における前記突出部の間隔よりも狭いことを特徴とする、ゴルフ練習具。
【請求項２】
前記フェース面の上部及び下部における前記突出部の両端が、前記打接部に向かって湾曲していることを特徴とする、請求項１に記載のゴルフ練習具。
【請求項３】
前記連結板の後面には前記フェース面に付着するための接着剤を塗布したことを特徴とする、請求項１又は２に記載のゴルフ練習具。
【請求項４】
前記突出部の間隔を調整可能としたことを特徴とする、請求項１から３のいずれか１項に記載のゴルフ練習具。
【請求項５】
パターヘッドと、
前記パターヘッドのフェース面に対して垂直方向に突出し、該フェース面の一部であるゴルフボールの打接部を挟んで互いに向かい合うようにして該フェース面の幅方向に並んで設けられた１組の突出部とを備え、
前記フェース面の上部及び下部における前記突出部の両端が、前記フェース面の中心部における前記突出部の間隔よりも狭いことを特徴とする、練習用パター。
【考案の詳細な説明】
【技術分野】
【０００１】
本考案は、ゴルフ練習具に関し、より特定的には、パターに装着することによって利用されるゴルフ練習具に関する。
【背景技術】
【０００２】
ゴルファーの競技実力を向上させるためには、パッティング技術の向上が不可欠である。パターには、パターフェースの中心付近に芯（スイートスポット）が存在し、パッティング時に芯を外れた場合は、ゴルフボールが転がる距離や方向はゴルファーが意図したようにはならない。従って、ゴルファーが意図した距離や方向にゴルフボールを転がすためには、ゴルファーは、パターフェースの中心付近に常にゴルフボールを打接させるための高度なパッティング技術を習得する必要がある。パッティング技術を向上させるための練習用具として、特許文献１では、パッティング練習用ガイド板が提案されている。特許文献１のパッティング練習用ガイド板は、パターフェースに装着され、パッティングの練習に利用される。図９は、特許文献１に記載のパッティング練習用ガイド板の斜視図であり、図１０は、特許文献１に記載のパッティング練習用ガイド板の正面図である。具体的には、図９及び図１０に示されるように、特許文献１のパッティング練習用ガイド板１は、垂直部２及び２ａと、垂直部２と垂直部２ａとを連結する連結部３と、側面突起４及び４ａと、中心突起５とを有する。パッティング練習用ガイド板１は、パターのフェース面に付着されることにより、パターの練習に利用される。より具体的には、ゴルファーは、パッティング練習用ガイド板１をパターのフェース面に付着させ、正確にフェース面（開放部６によって開放されたフェース面）の中心付近にゴルフボールを打接させる。正確にフェース面の中心付近にゴルフボールが打接した場合、ゴルフボールは、ゴルファーが意図した方向に転がる。
【０００３】
しかしながら、ゴルファーが正確にフェース面の中心付近にゴルフボールを打接させることができなかった場合、ゴルフボールはゴルファーが意図した方向に転がらない。例えば、ゴルフボールがフェース面の中心付近よりも右側（垂直部２ａ側）にずれた位置に打接した場合、ゴルフボールは、側面突起４又は４ａに当たり、ゴルファーが意図した方向とは異なる方向に転がる。また、ゴルフボールがフェース面の中心付近よりも上側（中心突起５側）にずれた位置に打接した場合、ゴルフボールは、中心突起５に当たり、ゴルファーが意図した方向とは異なる方向に転がる。このように、ゴルファーは、自身が意図した方向にゴルフボールを転がすために、ゴルフボールをフェース面の中心付近に当てる必要がある。ゴルフボールをフェース面の中心付近に当てることができなかった場合は、ゴルフボールはゴルファーの意図した方向に転がらず、ゴルファーは、一見してフェース面の中心付近にゴルフボールが当たらなかったことがわかる。そのため、ゴルファーは、自身が意図した方向にゴルフボールを転がすために、ゴルフボールをフェース面の中心付近に当てるように練習し、これを繰り返すことでフェース面の中心付近に確実にゴルフボールを当てる技術を修得することができる。
【先行技術文献】
【特許文献】
【０００４】
【特許文献１】特開平８−１２６７２９号公報
【考案の概要】
【考案が解決しようとする課題】
【０００５】
しかしながら、特許文献１に記載のパッティング練習用ガイド板には、以下の課題があった。すなわち、ゴルフボールがフェース面の中心付近より下側に打接した場合、ゴルフボールは、上述したような側面突起４及び４ａに当たらず、フェース面に垂直な方向に転がる。従って、ゴルフボールがフェース面の中心付近に打接していないにも拘らず、ゴルファーは、正確にフェース面の中心付近にゴルフボールが打接したものと誤認識してしまう。すなわち、特許文献１に記載のパッティング練習用ガイド板では、フェース面の左右方向に対するパッティングの正確性を向上させるためには有効であるが、フェース面の上下方向に対するパッティングの正確性を向上させるためには、不十分な場合がある。
【０００６】
それ故、本考案の目的は、ボールが打接する位置を正確に維持することができるように練習することが可能で、かつ、簡単な構造を有するゴルフ練習具を提供することを目的とする。
【課題を解決するための手段】
【０００７】
本考案は、上記の課題を解決するために、以下の構成を採用した。なお、括弧内の参照符号及び補足説明等は、本考案の理解のために後述する実施形態との対応関係の一例を示したものであり、本考案を何ら限定するものではない。
【０００８】
第１の考案は、パターヘッドに装着されるゴルフ練習具である。ゴルフ練習具（１０）は、連結板（１１）と、１組の突出部（１２ａ、１２ｂ）とを備える。連結板は、パターヘッド（２１）に付着される。突出部は、ゴルフ練習具を前記パターヘッドに装着した場合に、パターヘッドのフェース面に対して垂直方向に突出し、ゴルフボールが打接する打接部を挟んで互いに向かい合うようにして連結板の幅方向の両端に設けられる。そして、フェース面の上部及び下部における突出部の間隔（Ｗ３）が、フェース面の中心部における突出部の間隔（Ｗ２）よりも狭い。
【０００９】
第１の考案によれば、ゴルフボールがフェース面の中心付近から上下方向にずれた位置に打接する場合、ゴルフボールは突出部に当たり、ゴルファーが意図した方向とは異なる方向に転がる。また、ゴルフボールがフェース面の中心付近から左右方向にずれた位置に打接する場合も同様である。従って、ゴルファーは、ゴルフボールをフェース面の中心で正確に打球したか否かを容易に確認することができる。これにより、ゴルファーのパッティング技術を効率よく向上させることが可能なゴルフ練習具を提供することができる。
【００１０】
第２の考案では、フェース面の上部及び下部における突出部の両端が、上記打接部に向かって湾曲してもよい。
【００１１】
第２の考案によれば、フェース面の上部及び下部における突出部の間隔をフェース面の中心部における間隔よりも小さくすることができる。これにより、ゴルファーは、ゴルフボールがフェース面の中心付近から上下方向にずれた位置に打接したことを容易に認識することができる。
【００１２】
第３の考案では、連結板の後面にはフェース面に付着するための接着剤を塗布してもよい。
【００１３】
第３の考案によれば、容易にパターのフェース面にゴルフ練習具を付着させることができる。
【００１４】
第４の考案では、突出部の間隔（Ｗ１）を調整可能としてもよい。
【００１５】
第４の考案によれば、熟練度に応じて突出部の間隔を調整することができる。
【００１６】
第５の考案は、練習用パター（６０）である。練習用パターは、パターヘッド（２２）と、１組の突出部（１２ａ、１２ｂ）とを備える。突出部は、パターヘッドのフェース面に対して垂直方向に突出し、該フェース面の一部であるゴルフボールの打接部を挟んで互いに向かい合うようにして該フェース面の幅方向に並んで設けられる。そして、フェース面の上部及び下部における突出部の間隔（Ｗ３）が、フェース面の中心部における突出部の間隔（Ｗ２）よりも狭い。
【００１７】
第５の考案によれば、ゴルファーは、ゴルフボールをフェース面の中心で正確に打球したか否かを容易に確認することができる。これにより、ゴルファーのパッティング技術を効率よく向上させることが可能なゴルフ練習具を提供することができる。
【考案の効果】
【００１８】
本考案によれば、ゴルフボールがフェース面の中心付近から上下方向及び左右方向にずれた位置に打接する場合、ゴルフボールは突出部に当たり、ゴルファーが意図した方向とは異なる方向に転がる。これにより、ゴルファーは、ゴルフボールをフェース面の中心で正確に打球したか否かを容易に確認することができ、パッティング技術を効率よく向上させることができる。
【図面の簡単な説明】
【００１９】
【図１】本考案の一実施形態に係るゴルフ練習具１０の一例を示す図
【図２】ゴルフ練習具１０の使用状態を示す図
【図３】ゴルファーが、ゴルフ練習具１０をパターのフェース面に付着させ、ゴルフボールを連結板１１の中心Ｏ付近で打球した場合にゴルフボールが転がる方向を模式的に示した図
【図４】ゴルファーが、ゴルフボールを連結板１１の中心Ｏ付近よりも下側の点Ｐ１で打球した場合にゴルフボールが転がる方向を模式的に示した図
【図５】連結板１１の幅Ｗ１を調整可能な構造を有するゴルフ練習具３０の一例を示した図
【図６】本考案の他の実施形態に係るゴルフ練習具４０の一例を示す図
【図７】本考案の他の実施形態に係るゴルフ練習具５０の一例を示す図
【図８】本考案の他の実施形態に係る練習用パター６０のヘッドの一例を示す図
【図９】従来技術のパッティング練習用ガイド板の斜視図
【図１０】従来技術のパッティング練習用ガイド板の正面図
【考案を実施するための形態】
【００２０】
以下、図１〜図７を参照して本考案の実施形態一実施形態に係るゴルフ練習具について説明する。図１は、本考案の一実施形態に係るゴルフ練習具１０の一例を示す図である。図１（ａ）は、ゴルフ練習具１０の正面図であり、図１（ｂ）は、ゴルフ練習具１０の側面図である。
【００２１】
図１に示されるように、ゴルフ練習具１０は、連結板１１の両端に、突出部１２ａ及び１２ｂを有する。ゴルフ練習具１０は、金属、合成樹脂等で形成される。連結板１１の後面（図１（ｂ）参照）には、不乾性接着剤が塗布され、パターのフェース面に付着される。突出部１２ａ及び１２ｂは、ゴルフ練習具１０をパターのフェース面に付着させた場合に、フェース面に対して垂直な方向に互いに向かい合うようにして突出している。なお、以下の説明で示される具体的な数値は、本考案の一例を示したものであり、本考案を何ら限定するものではない。
【００２２】
連結板１１の高さＨは、平均的なパターヘッドのフェース面における上下方向の長さと略等しい値に設定される。例えば、連結板１１の高さＨは、約２０（ｍｍ）に設定されてもよい。連結板１１の幅Ｗ１（すなわち、突出部１２ａと１２ｂの外縁の間隔）は、連結板１１の中心Ｏにゴルフボールが打接した場合に、ゴルフボールが突出部１２ａ及び１２ｂの何れにも当たらないように設定される。例えば、連結板１１の幅Ｗ１は、約５３（ｍｍ）に設定されてもよい。
【００２３】
突出部１２ａ及び１２ｂは、図１に示されるように、その上下方向の両端（図２に示されるようにゴルフ練習具１０をパターヘッドの装着した場合のフェース面の上部及び下部）が連結板１１の中心に向かって湾曲するように形成される。例えば、突出部１２ａは、連結板１１の中心Ｏから水平方向右側の所定の位置を中心にした円の円弧の一部を形成するように湾曲している。同様に、突出部１２ｂは、連結板１１の中心Ｏから水平方向左側の所定の位置を中心にした円の円弧の一部を形成するように湾曲している。突出部１２ａ及び１２ｂの内側（内縁）の曲率半径は、例えば、約１５（ｍｍ）に設定されてもよい。突出部１２ａ及び１２ｂの両端を湾曲させることよって、その両端における突出部１２ａと１２ｂの内縁の間隔Ｗ３は、ゴルフボールの直径よりも小さく設定される。また、その中心部分における突出部１２ａと１２ｂの内縁の間隔Ｗ２は、ゴルフボールの直径よりも大きく設定される。
【００２４】
図２は、ゴルフ練習具１０の使用状態を示す図である。図２に示されるように、ゴルフ練習具１０は、連結板１１の中心Ｏがパターヘッド２１のフェース面の中心に略一致するように付着された状態で使用される。このように、パターにゴルフ練習具１０が付着された状態で、ゴルファーは、ゴルフボールが突出部１２ａ及び１２ｂに当たらないように、パッティングの練習を行う。
【００２５】
図３は、ゴルファーが、ゴルフ練習具１０をパターのフェース面に付着させ、ゴルフボールを連結板１１の中心Ｏと重なる点Ｐ０で打球した場合にゴルフボールが転がる様子を示した図である。図３（ａ）は、ゴルフボール２０が点Ｐ０で打接したときの様子を正面から見た図であり、図３（ｂ）は、ゴルフボール２０が点Ｐ０で打接したときの様子を上方から見た図である。図３に示されるように、ゴルフボール２０が連結板１１の中心Ｏと重なる点Ｐ０（図３（ａ））で打接した場合、突出部１２ａ及び１２ｂに当たることなく、ゴルフボール２０は、連結板１１（フェース面）に垂直な方向に転がる（図３（ｂ））。従って、ゴルファーは、自身が意図した方向にゴルフボール２０を転がすことができ、ゴルフボール２０を正確にフェース面の中心付近で打球したことを認識することができる。
【００２６】
一方、ゴルフボール２０が連結板１１の中心Ｏ付近からずれた位置で打接した場合、ゴルフボール２０は、ゴルファーが意図した方向とは異なる方向に転がる。図４は、ゴルファーが、ゴルフボールを連結板１１の中心Ｏ付近よりもずれた位置で打球した場合にゴルフボールが転がる様子を示した図である。図４（ａ）は、ゴルフボール２０が中心Ｏ付近よりも下側の点Ｐ１で打接したときの様子を正面から見た図であり、図４（ｂ）は、ゴルフボール２０が中心Ｏ付近よりも下側の点Ｐ１で打接したときの様子を上方から見た図である。図４に示されるように、ゴルフボール２０が連結板１１の中心Ｏ付近よりも下側の点Ｐ１（図４（ａ））で打接する場合、ゴルフボール２０は、突出部１２ａ又は１２ｂに当たる。図４（ｂ）では、突出部１２ｂにゴルフボール２０が当たることによって、ゴルフボールがフェース面に対して斜め左方向に転がる様子が示されている。これは、ゴルフボール２０の直径が、連結板１１の下側における突出部１２ａと１２ｂとの間隔Ｗ３よりも大きいためである。従って、ゴルファーは、意図した方向にゴルフボール２０を転がすことができず、ゴルファーは、ゴルフボール２０を正確にフェース面の中心付近で打球していないことを認識することができる。
【００２７】
同様に、ゴルファーが、ゴルフボール２０を連結板１１の中心Ｏ付近よりも上側の点Ｐ２（図４（ａ）参照）で打球した場合、ゴルフボール２０は、突出部１２ａ又は１２ｂに当たり、意図した方向にゴルフボール２０は転がらない。また、同様に、ゴルフボール２０が連結板１１の中心Ｏ付近よりも右側（又は左側）の点Ｐ３（又はＰ４）で打接する場合、ゴルフボール２０は、突出部１２ａ（又は１２ｂ）に当たり、ゴルファーが意図した方向にゴルフボール２０は転がらない。
【００２８】
このように、ゴルファーは、ゴルフボール２０をフェース面の中心で正確に打球したか否かを容易に確認することができる。従って、ゴルファーは、正確なパッティングのための練習を行うことができ、パッティング技術を向上させることができる。
【００２９】
なお、連結板１１の幅Ｗ１は、ゴルファーの熟練度に応じて定められてもよい。例えば、連結板１１の幅Ｗ１は、初心者用には比較的広く、上級者用には比較的狭く設定されてもよい。また、連結板１１の幅Ｗ１を調整可能にしてもよい。連結板１１の幅Ｗ１を調整可能な構造としては、どのようなものでも構わないが、例えば、図５に示されるものが考えられる。図５は、連結板１１の幅Ｗ１を調整可能な構造を有するゴルフ練習具３０の一例を示した図である。図５（ａ）は、ゴルフ練習具３０の正面図であり、図５（ｂ）は、ゴルフ練習具３０の背面図である。図５に示されるように、ゴルフ練習具３０は、突出部１２ａを有する部材Ａと、突出部１２ｂを有する部材Ｂとが嵌合することにより、形成される。部材Ａと部材Ｂとは分離可能であり、部材Ａ（又は部材Ｂ）を水平方向（幅方向）にスライドさせることによって、幅Ｗ１を調整することが可能である。具体的には、部材Ａの背面の突出部１２ａには、部材Ｂの連結板１１ｂが嵌合する凹部ａが設けられており、部材Ｂの背面の突出部１２ｂには、部材Ａの連結板１１ａが嵌合する凹部ｂが設けられる。このように、幅Ｗ１を調整可能とすることにより、ゴルファーは自身の熟練度に応じて幅Ｗ１を調整することができる。
【００３０】
また、本考案に係るゴルフ練習具は、パターのフェース部分に装着した場合に、ゴルフボールの打接部分の両端に突出部１２ａ及び１２ｂが設けられる構成であれば、どのようなものでもよい。例えば、突出部１２ａ及び１２ｂの上部のみを連結する連結板によって、突出部１２ａ及び１２ｂが連結されてもよい。図６は、本考案の他の実施形態に係るゴルフ練習具４０の一例を示す図である。図６に示されるように、ゴルフ練習具４０をパターヘッド２１に装着した場合、パターヘッド２１のフェース面がゴルフボールの打接面となり、突出部１２ａ及び１２ｂが打接面を挟むようにして、連結板４１によって連結されている。連結板４１の裏面には接着剤が塗布され、フェース面に付着される。また、本考案に係るゴルフ練習具の他の実施形態として、連結板がパターヘッドの上面に付着されてもよい。図７は、本考案の他の実施形態に係るゴルフ練習具５０の一例を示す図である。図７に示されるように、突出部１２ａ及び１２ｂが連結板５１によって連結され、連結板５１は、パターヘッドの上面に固定されている。連結板５１は、図８の紙面の手前から奥方向に伸びた形状（地面に対して水平）になっており、その裏面には接着剤が塗布され、パターヘッドの上面に付着されている。
【００３１】
また、本考案をフェース面に突出部１２ａ及び１２ｂを備えた練習用パターとして構成することにより、本考案に係るゴルフ練習具をパターと一体化させてもよい。図８は、本考案の他の実施形態に係る練習用パター６０のヘッドの一例を示す図である。図８に示されるように、突出部１２ａ及び１２ｂが、ヘッド２２のフェース面の中心Ｏを挟んで、フェース面に設けられている。フェース面の中心Ｏから突出部１２ａまでの距離と、フェース面の中心Ｏから突出部１２ｂまでの距離とは、等しく設定される。
【００３２】
また、本実施形態では、突出部１２ａ及び１２ｂの曲率は、どのように設定されてもよい。例えば、図１に示される場合よりも突出部１２ａ及び１２ｂの曲率を小さく（曲率半径を大きく）した場合、突出部１２ａと１２ｂの間隔Ｗ３が大きくなるため、パターのフェース面の中心よりも多少上下した位置にゴルフボールが打接しても、突出部１２ａ又は１２ｂにゴルフボールが当たらない。しかしながら、ゴルフボールがパターのフェース面の中心から所定距離離れた上部又は下部にゴルフボールが打接する場合、突出部１２ａ又は１２ｂにゴルフボールが当たる可能性がある。逆に、突出部１２ａ及び１２ｂの曲率を大きくすると突出部１２ａと１２ｂの間隔Ｗ３が小さくなるため、パターのフェース面の中心から少しでも上下方向にずれた位置にゴルフボールが打接する場合、突出部１２ａ又は１２ｂにゴルフボールが当たる。このように、突出部１２ａ及び１２ｂの曲率を調整することにより、パターのフェース面の上下方向に対するパッティングの必要な正確性を調整することができる。例えば、初心者用には突出部１２ａ及び１２ｂの曲率を小さく、上級者用には突出部１２ａ及び１２ｂの曲率を大きく設定してもよい。
【００３３】
また、本考案に係るゴルフ練習具をパターのフェース面に装着した場合に、フェース面の上部及び下部においてゴルフボールが打接する場合に、突出部１２ａ又は１２ｂにゴルフボールが当たり、かつ、フェース面の中心部においてゴルフボールが打接する場合に、突出部１２ａ及び１２ｂの何れにもゴルフボールが当たらないような形状であれば、突出部１２ａ及び１２ｂはどのような形状であってもよい。すなわち、突出部１２ａ及び１２ｂは、必ずしも連結板１１の中心に向かって湾曲している必要はなく、連結板１１の上部及び下部における突出部１２ａと１２ｂの間隔Ｗ３が、連結板１１の中心部における突出部１２ａと１２ｂの間隔Ｗ２よりも小さく設定されていれば、どのような形状であってもよい。
【産業上の利用可能性】
【００３４】
以上のように、本考案では、正確にパッティングの練習を行うことができ、例えば、パターに付着されるゴルフ練習具として利用することができる。
【符号の説明】
【００３５】
１０、３０、４０、５０  ゴルフ練習具
６０  練習用パター
１１、４１、５１  連結板
１２ａ、１２ｂ  突出部
２０  ゴルフボール
２１、２２  パターヘッド
１    従来技術のパッティング練習用ガイド板
２、２ａ  従来技術の垂直部
３    従来技術の連結部
４    従来技術の側面突起
５    従来技術の中心突起
６    従来技術の開放部
【図１】
0003167944.tif 000003
【図２】
0003167944.tif 000004
【図３】
0003167944.tif 000005
【図４】
0003167944.tif 000006
【図５】
0003167944.tif 000007
【図６】
0003167944.tif 000008
【図７】
0003167944.tif 000009
【図８】
0003167944.tif 000010
【図９】
0003167944.tif 000011
【図１０】
0003167944.tif 000012